(57)【要約】【課題】フィルタ上のごみを自動的に清掃するフィルタ清掃機能を有する空気調和機の構成を提供すること。【解決手段】本体１の前面上部または上面に設けられた吸込口２と、前面下部に設けられた吹出口３とを結ぶ空気通路に、フィルタ４と、熱交換器６と、送風ファン５とを夫々設けるとともに、前記フィルタ４上のごみを除去吸引するごみ吸引部１１３と、吸引ファン部１１４とで構成してなるごみ除去手段を有し、前記ごみ吸引部１１３は、移動可能なごみ吸引口１１７を備えており、かつ、前記フィルタ４を前記ごみ吸引部１１３に沿って移動させるフィルタ移動手段を設けたものである。【選択図】図１
2006125803.tif 000002
【特許請求の範囲】
【請求項１】
本体の前面上部または上面に設けられた吸込口と、前面下部に設けられた吹出口とを結ぶ空気通路に、フィルタと、熱交換器と、送風ファンとを夫々設けるとともに、前記フィルタ上のごみを除去吸引するごみ吸引部と、吸引ファン部とで構成してなるごみ除去手段を有し、前記ごみ吸引部は、移動可能なごみ吸引口を備えており、かつ、前記フィルタを前記ごみ吸引部に沿って移動させるフィルタ移動手段を設けたことを特徴とする空気調和機。
【請求項２】
前記ごみ吸引口は水平方向に移動し、前記フィルタは上下方向に移動する手段を設けたことを特徴とする請求項１に記載の空気調和機。
【請求項３】
前記フィルタをはさんで、前記ごみ吸引口の対面側に、空気を通さない遮蔽板を設けたことを特徴とする請求項１に記載の空気調和機。
【発明の詳細な説明】
【技術分野】
【０００１】
本発明は、空気調和機に係わり、より詳細には、フィルタ上のごみを自動的に清掃するフィルタ清掃機能に関する。
【背景技術】
【０００２】
従来の空気調和機は、フィルタをユーザの手によって本体の前面パネルから抜き出して清掃し、再度ユーザの手によって本体の前面パネルの内側に挿入していた。
【０００３】
この場合、空気調和機が通常は部屋の高所に設置されていることから、高齢者や女性にとってフィルタの着脱が高所作業となって困難を極めたり、フィルタを清掃する作業自体が敬遠され、結果的にユーザは省エネや快適性において本来の性能を得られないまま使用している期間が長くなるという問題を有していた。
【０００４】
これに対し、図４のようなフィルタの清掃装置付き空気調和機の発明がなされている（例えば、特許文献１参照）。
【０００５】
この特許文献１の構成は、本体１の前面上部および上面に設けられた吸込口２と、前面下部に設けられた吹出口３とを結ぶ空気通路に、フィルタ４と、熱交換器６と、送風ファン５とを夫々設けた構成の空気調和機において、前記フィルタ４を清掃するためにフィルタ４上を移動自在に形成されたフィルタ清掃装置９を設けるが、このフィルタ清掃装置９は、フィルタ４をフィルタ清掃装置９の内側に沿って回動させる回動手段１０と、フィルタ４上のごみを除去するごみ除去手段１１と、ごみを収納するごみ収納部１２から構成されている。ごみ除去手段１１は、フィルタ４上を移動自在に形成されたごみ吸引部１３と、ごみ吸引部１３とごみ収納部１２とを連結する吸引ダクト部１５とから構成されている。ごみ吸引部１３は巻き取りモータ１７の駆動により固定レール１６に沿って左右方向に移動自在となっている。
【０００６】
以上の構成により、このフィルタ清掃装置９のごみ吸引部１３はフィルタ４上を左右方向に移動するにつれ、フィルタ４上に付着したごみは吸引され、ごみ収納部１２に運ばれる。また、フィルタ清掃装置９のごみ吸引部１３が左右に移動するとともに、フィルタ４が前記回動手段１０によってごみ吸引部１３の移動方向と直角方向（上下方向）に移動されるので、前記フィルタ４のほぼ全部の面積についてごみを吸引することができるというものである。
【特許文献１】特開２００２−３４０３９５号公報
【発明の開示】
【発明が解決しようとする課題】
【０００７】
しかしながら、前記従来の構成では、フィルタ清掃装置９が左右に移動するために、ごみ吸引部１３とごみ収納部１２とを連結する吸引ダクト部１５を伸縮自在の構造にしなければならない。しかし、図４において、フィルタ清掃装置９が右端まで行った場合まで伸びることのできるダクトでは、フィルタ清掃装置９が左端まで行った場合にも、相当な長さまでしか縮まず、図４においては、左端まで行ったフィルタ清掃装置９の左側に、縮んだダクトを収納する大きいスペースが必要となるという課題を有していた。
【０００８】
本発明は、前記従来の課題を解決するもので、確実なフィルタ清掃を行える上に、コンパクトなフィルタ清掃装置を備えた空気調和機を提供することを目的とする。
【課題を解決するための手段】
【０００９】
前記従来の課題を解決するために、本体の前面上部または上面に設けられた吸込口と、前面下部に設けられた吹出口とを結ぶ空気通路に、フィルタと、熱交換器と、送風ファンとを夫々設けるとともに、前記フィルタ上のごみを除去吸引するごみ吸引部と、吸引ファン部とで構成してなるごみ除去手段を有し、前記ごみ吸引部は、移動可能なごみ吸引口を備えており、かつ、前記フィルタを前記ごみ吸引部に沿って移動させるフィルタ移動手段を設けるように構成したものである。
【００１０】
これによって、ごみ吸引部が移動しないため、ごみ吸引部と吸引ファン部とを連結する吸引ダクト部は伸縮する必要がなくなり、縮んだダクトを収納する大きいスペースも不要となるため、コンパクトなフィルタ清掃装置を備えた空気調和機を実現できるというものである。
【発明の効果】
【００１１】
本発明は、空気調和機に係わり、フィルタ上のごみを自動的に清掃するフィルタ清掃機能に関し、コンパクトなフィルタ清掃機能を有する空気調和機を提供することができる。
【発明を実施するための最良の形態】
【００１２】
第１の発明は、本体の前面上部または上面に設けられた吸込口と、前面下部に設けられた吹出口とを結ぶ空気通路に、フィルタと、熱交換器と、送風ファンとを夫々設けるとともに、前記フィルタ上のごみを除去吸引するごみ吸引部と、吸引ファン部とで構成してなるごみ除去手段を有し、前記ごみ吸引部は、移動可能なごみ吸引口を備えており、かつ、前記フィルタを前記ごみ吸引部に沿って移動させるフィルタ移動手段を設けることで、ごみ吸引部自体が移動しないため、ごみ吸引部と吸引ファン部とを連結する吸引ダクト部は伸縮する必要がなくなり、縮んだダクトを収納する大きいスペースも不要となるため、コンパクトなフィルタ清掃装置を備えた空気調和機を実現できるというものである。
【００１３】
第２の発明は、第１の発明のごみ吸引口が水平方向に移動し、前記フィルタは上下方向に移動する手段を設けるように構成することで、ごみ吸引口の移動経路が直線となり、容易な構成で安定した動作が得られる。
【００１４】
第３の発明は、前記フィルタをはさんで、前記ごみ吸引口の対面側に、空気を通さない遮蔽板を設けるように構成することで、ごみ吸引口と遮蔽板でフィルタをはさんでごみを吸引するため、空気の洩れ量が安定し、確実なごみの吸引が容易になる。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機の斜視図、図２は同ごみ吸引部の斜視図、図３は同フィルタの動作を説明する模式図である。
【００１７】
図１において、１は本発明による空気調和機本体、２は同本体１の前面から上面にかけて設けられた吸込口、３は前記本体１の下部に設けられた吹出口である。
【００１８】
前記吸込口２と、前記吹出口３とを結ぶ空気通路には、空気中の粗いごみを取り除くフィルタ４と、ファンモータ８に連係された送風ファン５と、熱交換器６とが設けられている。
【００１９】
ごみ除去手段１１１は、前記吸込口３の上部に、フィルタ４の横幅全体に渡って、帯状
にあるごみ吸引部１１３と、前記本体１の側面空間内に配置された吸引ファン部１１４と、前記ごみ吸引部１１３と前記吸引ファン部１１４とを連結する吸引ダクト部１１５とからなる構成となっている。
【００２０】
図２において、ごみ吸引部１１３は、ごみ吸引口移動用モータ１１６によって駆動されごみ吸引口１１７が穿たれたフィルム１１８を備えており、ごみ吸引口移動用モータ１１６の回転によりごみ吸引口１１７が水平方向に順次移動する。また、１１９は吸引ダクト部１１５に連結する連結口である。
【００２１】
図３において、フィルタ４の裏側には、各々フィルタ移動用モータにつながるフィルタ移動用ギア１２０が配されている。
【００２２】
以上のように形成されたことによって、本発明による前記ごみ除去手段１１１は次のように作用する。
【００２３】
まず、前記フィルタ４の最下部上に付着したごみは、前記ごみ吸引口１１７が左から右、あるいは右から左に移動するにつれ吸引され、前記ごみ吸引部１１３内部、前記吸引ダクト１１５内を通って前記吸引ファン部１１４に運ばれ、その後屋外に排出される。
【００２４】
ここで、前記フィルタ４をはさんで、前記ごみ吸引口１１７の対面側には、空気を通さない遮蔽板１２１があって、ごみ吸引口１１７と遮蔽板１２１でフィルタ４をはさんでごみを吸引するため、フィルタ４とごみ吸引口１１７の隙間寸法、さらにはそこからの空気の洩れ量が安定し、確実なごみの吸引が容易になる。
【００２５】
次に、前記フィルタ４は、図３のように移動用ギア１２０が回転することで、下方向に移動し、前記ごみ吸引口部分に、まだごみが吸引されてない部分が相対すると、一旦停止する。
【００２６】
この状態で、再び、前記ごみ吸引口１１７が移動し、ごみを吸引、排出する。
【００２７】
以後、この動作を繰り返すことにより、前記フィルタ４上のごみは総て吸引排出される。
【００２８】
また、本実施の形態１ではごみ吸引口１１７の移動手段として、フィルム１１８をスライドする手法を採っているが、例えば、蓋を備えた吸引口を複数並べておき、順次、蓋を開いていくといった、実質的に吸引口が移動するような機構、手法を採っても同様の効果を奏する事は言うまでもない。
【産業上の利用可能性】
【００２９】
以上のように、本発明にかかる空気調和機は、本体の前面上部または上面に設けられた吸込口と、前面下部に設けられた吹出口とを結ぶ空気通路に、フィルタと、熱交換器と、送風ファンとを夫々設けるとともに、前記フィルタ上のごみを除去吸引するごみ吸引部と、吸引ファン部とで構成してなるごみ除去手段を有し、前記ごみ吸引部は、移動可能なごみ吸引口を備えており、かつ、前記フィルタを前記ごみ吸引部に沿って移動させるフィルタ移動手段を設けることで、ごみ吸引部自体が移動しないため、ごみ吸引部と吸引ファン部とを連結する吸引ダクト部は伸縮する必要がなくなり、縮んだダクトを収納する大きいスペースも不要となるため、コンパクトなフィルタ清掃装置が実現できるというものであり、空気調和機の室内機以外に、送風機とフィルタを有する装置一般における、フィルタ清掃装置にも広く適用できる。
【図面の簡単な説明】
【００３０】
【図１】本発明の実施の形態１における空気調和機を示す斜視図
【図２】本発明の実施の形態１におけるごみ吸引部を示す斜視図
【図３】本発明の実施の形態１におけるフィルタの動作を説明する模式図
【図４】従来の空気調和機を示す斜視図
【符号の説明】
【００３１】
１  空気調和機本体
２  吸込口
３  吹出口
４  フィルタ
５  送風ファン
６  熱交換器
７  ドレンパン
８  モータ
９  フィルタ清掃装置
１０  回動手段
１１  ごみ除去手段
１２  ごみ収納部
１１１  ごみ除去手段
１１３  ごみ吸引部
１１４  吸引ファン部
１１６  ごみ吸引口移動用モータ
１１７  ごみ吸引口
１１８  フィルム
１１９  連結口
１２０  フィルタ移動用ギア
１２１  遮蔽板
【図１】
2006125803.tif 000003
【図２】
2006125803.tif 000004
【図３】
2006125803.tif 000005
【図４】
2006125803.tif 000006